(57)【要約】【課題】設備の制御容易性、および、快適性の向上を図りやすくすることができる設備制御システムを提供する。【解決手段】室内環境の調整に用いられる設備９０の制御を行う制御部１１と、設備９０の利用者が携帯可能な情報端末３０であって、複数の単語を有する文情報の入力および表示に用いられる機能を有する情報端末３０と、外部から入力される入力信号に基づいて、設備９０の制御内容、および、情報端末３０に送信する文情報である送信情報の内容を求める演算部１２と、が設けられていることを特徴とする特徴とする。【選択図】図１
2020003137.tif 000002
【特許請求の範囲】
【請求項１】
室内環境の調整に用いられる設備の制御を行う制御部と、
前記設備の利用者が携帯可能な情報端末であって、複数の単語を有する文情報の入力および表示に用いられる機能を有する情報端末と、
外部から入力される入力信号に基づいて、前記設備の制御内容、および、前記情報端末に送信する文情報である送信情報の内容を求める演算部と、
が設けられていることを特徴とする特徴とする設備制御システム。
【請求項２】
前記情報端末に入力された文情報であって、前記設備の制御に関する入力情報を取得し、取得した前記入力情報に基づいて、前記設備の制御に関する内容の解析を行う解析部が更に設けられ、
前記入力信号には、前記解析部の解析結果が含まれることを特徴とする請求項１記載の設備制御システム。
【請求項３】
前記演算部は、前記情報端末に出力する前記送信情報として、前記設備に対して制御を行った後の前記設備の状況、前記設備による環境制御が行われる前および後の少なくとも一方の室内状況、および、前記設備の制御における設定を変更した場合の理由の少なくとも一つを前記送信情報に含めることを特徴とする請求項２記載の設備制御システム。
【請求項４】
前記演算部は、当該情報端末に前記入力情報を入力した利用者に対して、当該利用者の状況を尋ねる内容を前記送信情報に含めることを特徴とする請求項２または３に記載の設備制御システム。
【請求項５】
前記演算部は、前記情報端末に前記入力情報を入力した利用者に対して、前記設備による環境制御が行われる室内状況を所定の室内状況に誘導する内容を、前記送信情報に含めることを特徴とする請求項２から４のいずれか１項に記載の設備制御システム。
【請求項６】
前記演算部は、前記利用者に対して前記室内環境に対する満足または不満足の理由を尋ねる内容を前記送信情報に含め、
前記解析部は、当該送信情報に対する回答情報であって、前記利用者が入力した前記室内環境に満足か不満足かを含む文情報である回答情報を取得し、取得した前記回答情報に更に基づいて前記設備の制御に関する内容の解析を行うことを特徴とする請求項２から５のいずれか１項に記載の設備制御システム。
【請求項７】
前記情報端末の配置位置を検知する検知部が更に設けられ、
前記制御部または前記演算部は、
前記設備が配置された建物内に前記情報端末が配置されていると判定した場合には、前記設備の制御を許可し、
前記建物外に前記情報端末が配置されていると判定した場合には、前記設備の制御を不許可とすることを特徴とする請求項２から６のいずれか１項に記載の設備制御システム。
【請求項８】
前記設備の運用予定が記憶されている予定記憶部が更に設けられ、
前記演算部は、前記設備への制御内容を求める際に、更に前記予定記憶部に記憶されている運用予定に基づいて前記制御内容を求めることを特徴とする請求項２から７のいずれか１項に記載の設備制御システム。
【請求項９】
前記演算部は、前記情報端末に前記入力情報を入力した利用者に好ましいと判定される室内環境とされている領域への移動を促す内容を、前記送信情報に含めることを特徴とする請求項２から８のいずれか１項に記載の設備制御システム。
【請求項１０】
前記設備に関する状況、および、前記設備による環境制御が行われる室内環境の少なくとも一方を測定して測定情報を出力するセンサが更に設けられ、
前記解析部は、前記情報端末に入力された前記入力情報、および、前記センサから出力された測定情報に基づいて、前記設備の制御に関する内容の解析を行うことを特徴とする請求項２から９のいずれか１項に記載の設備制御システム。
【請求項１１】
前記演算部は、前記測定情報に基づいて、前記測定情報から推定される室内環境が正しいか否かを尋ねる内容を求め、当該内容を前記出力情報に含めることを特徴とする請求項１０記載の設備制御システム。
【請求項１２】
前記情報端末を個別に識別する識別情報、前記情報端末に入力された前記入力情報、当該入力情報が入力された際に前記センサから出力された前記測定情報と、を紐付けて記憶する履歴記憶部と、
前記識別情報ごとに、前記測定情報および前記入力情報との関連を評価する評価部と、が更に設けられていることを特徴とする請求項１０または１１に記載の設備制御システム。
【請求項１３】
前記情報端末の配置位置を検知し、検知された配置位置に関する位置信号を出力する検知部が更に設けられ、
前記入力信号には、前記検知部から出力される前記位置信号が含まれることを特徴とする請求項１記載の設備制御システム。
【請求項１４】
前記設備による環境制御が行われる室内環境を測定し、測定された前記室内環境に関する環境信号を出力するセンサが更に設けられ、
前記演算部は前記環境信号により示される室内環境が、予め定められた所定の室内環境の場合には前記所定の室内環境に対応付けされた前記送信情報の内容を求めることを特徴とする請求項１記載の設備制御システム。
【請求項１５】
前記演算部は、前記環境信号に基づいて、当該環境信号が測定された時刻から所定の時刻が経過した後の室内環境である将来室内環境を推定し、
推定された前記将来室内環境が、予め定められた所定の室内環境の場合には前記所定の室内環境に対応付けされた前記送信情報の内容を求めることを特徴とする請求項１４記載の設備制御システム。
【請求項１６】
予め定められた複数の異なる前記設備の制御モードが記憶されたモード記憶部が予め設けられ、
前記演算部は、前記複数の制御モードのうち指定された制御モードに従って、前記設備の制御内容を求めることを特徴とする請求項１から１１のいずれか１項に記載の設備制御システム。
【発明の詳細な説明】
【技術分野】
【０００１】
本発明は、建物に設置された設備の制御に用いて好適な設備制御システムに関する。
【背景技術】
【０００２】
従来、建物に設置された設備の制御は、温湿度計測器など各種センサなどから出力された計測情報を用いた設備の制御が広く知られている。また近年では、利用者から入力される暑い、寒い、明るい、暗い、快適、不快などの定型化された文字情報や音声情報を利用した設備の制御方法も提案されている（例えば、特許文献１および２など参照。）。
【先行技術文献】
【特許文献】
【０００３】
【特許文献１】特開２００１−２２１４８５号公報
【特許文献２】国際公開第２０１６／１５７５３７
【発明の概要】
【発明が解決しようとする課題】
【０００４】
上述した温湿度計測器など各種センサから出力された計測情報を用いた設備の制御では、利用者の感覚が反映されないため、利用者が満足できる快適性を実現できないという問題があった。
【０００５】
利用者の快適性を満たすために、利用者が設備の管理者に対して、設備の制御についての要望を伝えて制御に反映させることも考えられる。しかしながら、管理者に要望を伝える必要があり、制御の容易性や即時性、要望の正確性が確保されているとは言えないという問題があった。
【０００６】
また、暑い、寒いという文字または音声情報を利用した設備の制御方法の場合には、管理者に要望を伝える場合と比較して制御の容易性を確保しやすいと言える。しかしながら、入力される情報が定型化された情報に限られるため、制御の自由度が限られてしまい、快適性の向上を図りにくいという問題があった。
【０００７】
本発明は、上記の課題を解決するためになされたものであって、設備の制御容易性、および、快適性の向上を図りやすくすることができる設備制御システムを提供することを目的とする。
【課題を解決するための手段】
【０００８】
上記目的を達成するために、本発明は、以下の手段を提供する。
本発明の設備制御システムは、室内環境の調整に用いられる設備の制御を行う制御部と、前記設備の利用者が携帯可能な情報端末であって、複数の単語を有する文情報の入力および表示に用いられる機能を有する情報端末と、外部から入力される入力信号に基づいて、前記設備の制御内容、および、前記情報端末に送信する文情報である送信情報の内容を求める演算部と、が設けられていることを特徴とする。
【０００９】
本発明の設備制御システムによれば送信情報を情報端末に出力することにより、利用者が設備の制御が行われていることを知り納得感を得ることが可能となり、快適性の向上を図りやすくなる。
【００１０】
上記発明においては、前記情報端末に入力された文情報であって、前記設備の制御に関する入力情報を取得し、取得した前記入力情報に基づいて、前記設備の制御に関する内容の解析を行う解析部が更に設けられ、前記入力信号には、前記解析部の解析結果が含まれることが好ましい。
【００１１】
このように情報端末に入力された入力情報に基づいて設備の制御が行われるため、管理者に設備の制御について要望を伝える場合と比較して、設備制御の容易性や要望の正確性の向上が図りやすくなる。また、複数の単語を有する文としての情報である入力情報を情報端末に入力して制御を行うため、単語のみの情報を入力して制御を行う場合と比較して、入力情報に設備の制御を要望する理由を表す単語が含まれる可能性が高くなるため、当該理由などを考慮した制御が可能となり、利用者の快適性の向上が図りやすくなる。
【００１２】
上記発明において前記演算部は、前記情報端末に出力する前記送信情報として、前記設備に対して制御を行った後の前記設備の状況、前記設備による環境制御が行われる前および後の少なくとも一方の室内状況、および、前記設備の制御における設定を変更した場合の理由の少なくとも一つを前記送信情報に含めることが好ましい。
【００１３】
このように制御を行った後の設備状況や、室内状況や、設定を変更した理由を送信情報として情報端末に出力することにより、設備の制御を目的とした入力情報を情報端末に入力した利用者が、納得感を得やすくなる。そのため、当該利用者が設備の制御に関する入力情報を繰り返し情報端末に入力することを抑制できる。
【００１４】
上記発明において前記演算部は、当該情報端末に前記入力情報を入力した利用者に対して、当該利用者の状況を尋ねる内容を前記送信情報に含めることが好ましい。
【００１５】
このように利用者の状況を尋ねる送信情報を情報端末に出力することにより、設備の制御を適切に行いやすくなる。つまり、設備の制御に関する入力情報を入力した利用者に対して活動状況や服装等である利用者の状況を尋ねることにより、当該利用者以外の他の利用者も同様に設備の制御を要望するか否かを判定することが可能となる。当該利用者のみが設備の制御を要望している場合と、他の利用者も設備の制御を要望している場合とで設備の制御内容を変えることで、設備の制御を適切に行いやすくなる。
【００１６】
上記発明において前記演算部は、前記情報端末に前記入力情報を入力した利用者に対して、前記設備による環境制御が行われる室内状況を所定の室内状況に誘導する内容を、前記送信情報に含めることが好ましい。
【００１７】
このように所定の室内状況に誘導する内容を含む送信情報を情報端末に出力することにより、設備により消費される電力の増加を抑制しやすくなる。具体的には、利用者が要望する室内状況よりも、設備により消費される電力の増加量が少ない所定の室内状況に誘導する内容の文情報を出力することにより、設備の消費電力の増加を抑制しやすくなる。
【００１８】
上記発明において前記演算部は、前記利用者に対して前記室内環境に対する満足または不満足の理由を尋ねる内容を前記送信情報に含め、前記解析部は、当該送信情報に対する回答情報であって、前記利用者が入力した前記室内環境に満足か不満足かを含む文情報である回答情報を取得し、取得した前記回答情報に更に基づいて前記設備の制御に関する内容の解析を行うことが好ましい。
【００１９】
このように室内環境に対する満足または不満足の理由に基づいて設備の制御を行うことにより、当該理由に基づかない場合と比較して、設備の制御を行いやすくなるとともに利用者の快適性の向上を図りやすくなる。
【００２０】
上記発明においては、前記情報端末の配置位置を検知する検知部が更に設けられ、前記制御部または前記演算部は、前記設備が配置された建物内に前記情報端末が配置されていると判定した場合には、前記設備の制御を許可し、前記建物外に前記情報端末が配置されていると判定した場合には、前記設備の制御を不許可とすることが好ましい。
【００２１】
このように建物内に情報端末が配置されている場合にのみ設備の制御を許可することにより、利用者以外の第三者によって設備が不当に制御されることを抑制しやすくなる。
【００２２】
上記発明においては、前記設備の運用予定が記憶されている予定記憶部が更に設けられ、前記演算部は、前記設備への制御内容を求める際に、更に前記予定記憶部に記憶されている運用予定に基づいて前記制御内容を求めることが好ましい。
【００２３】
このように設備の運用予定に基づいて設備の制御内容を決定することにより、利用者の快適性の向上を図りやすくなる。例えば、運用予定として利用者が設備を使用する期間が記憶されている場合には、利用者が使用開始する時間よりも所定時間だけ前から設備の制御を開始することにより、室内環境が整った状態で利用者が使用を開始することが可能となる。
【００２４】
上記発明において前記演算部は、前記情報端末に前記入力情報を入力した利用者に好ましいと判定される室内環境とされている領域への移動を促す内容を、前記送信情報に含めることが好ましい。
【００２５】
このように移動を促す内容の文情報を情報端末に出力することにより、設備により消費される電力の増加を抑制しやすくなる。つまり、要望する室内環境が実現されている領域へ利用者を誘導することにより、設備の制御内容を変更する必要性が低減し、設備により消費される電力の増加が抑制される。
【００２６】
上記発明においては、前記設備に関する状況、および、前記設備による環境制御が行われる室内環境の少なくとも一方を測定して測定情報を出力するセンサが更に設けられ、前記解析部は、前記情報端末に入力された前記入力情報、および、前記センサから出力された測定情報に基づいて、前記設備の制御に関する内容の解析を行うことが好ましい。
【００２７】
このように入力情報および測定情報に基づいて設備の制御に関する内容の解析を行うことにより、測定情報に基づかない解析を行う場合と比較して、室内環境の調整が適切に行われやすくなる。
【００２８】
上記発明において前記演算部は、前記測定情報に基づいて、前記測定情報から推定される室内環境が正しいか否かを尋ねる内容を求め、当該内容を前記出力情報に含めることが好ましい。
【００２９】
このように測定情報から推定される室内環境が正しいか否かを尋ねる出力情報を情報端末に出力することにより、測定情報に基づいた適切な設備の制御を行うことが可能となる。
【００３０】
上記発明においては、前記情報端末を個別に識別する識別情報、前記情報端末に入力された前記入力情報、当該入力情報が入力された際に前記センサから出力された前記測定情報と、を紐付けて記憶する履歴記憶部と、前記識別情報ごとに、前記測定情報および前記入力情報との関連を評価する評価部と、が更に設けられていることが好ましい。
【００３１】
このように識別情報ごとに測定情報および入力情報との関連を評価することにより、利用者ごとに快適と感じる室内環境の範囲を推定することが可能となる。つまり、利用者が個別に情報端末を携帯している場合、識別情報に基づいて利用者を特定することが可能となる。また、利用者ごとに入力情報を入力する際の測定情報は所定の範囲内に収まると考えられ、さらに、当該測定情報の値およびその範囲は、利用者ごとに異なっていると考えられる。上述のように履歴記憶部に記憶された測定情報および入力情報の関連を評価することにより、上述の関係、言い換えると利用者ごとに快適と感じる室内環境の範囲を推定することが可能となる。
【００３２】
上記発明においては、前記情報端末の配置位置を検知し、検知された配置位置に関する位置信号を出力する検知部が更に設けられ、前記入力信号には、前記検知部から出力される前記位置信号が含まれることが好ましい。
【００３３】
このように入力信号に位置信号が含まれることにより、適切なタイミングで適切な内容の出力情報を出力することが可能となる。例えば、利用者が室内に入室したタイミングで、当該利用者が当該室内で何を行うかを尋ねる出力情報を出力することが可能となる。この出力情報の回答内容に基づいて設備を制御することが可能となる。
【００３４】
上記発明においては、前記設備による環境制御が行われる室内環境を測定し、測定された前記室内環境に関する環境信号を出力するセンサが更に設けられ、前記演算部は前記環境信号により示される室内環境が、予め定められた所定の室内環境の条件となる場合には前記所定の室内環境に対応付けされた前記送信情報の内容を求めることが好ましい。
【００３５】
このように環境信号を入力信号として入力することにより、予め定められた室内環境となった際に利用者に対して出力情報を出力することが可能となる。例えば、室内温度が予め定められた所定の閾値温度となった際に、設備である空調装置の設定温度を変更するかを尋ねる出力情報を出力することが可能となる。
【００３６】
上記発明において前記入力信号は時刻に関する時刻信号であり、前記演算部は、前記環境信号に基づいて、当該環境信号が測定された時刻から所定の時刻が経過した後の室内環境である将来室内環境を推定し、推定された前記将来室内環境が、予め定められた所定の室内環境の場合には前記所定の室内環境に対応付けされた前記送信情報の内容を求めることが好ましい。
【００３７】
このように将来室内環境に基づくことにより、環境信号が測定された時刻から所定の時刻が経過した後の室内環境（将来室内環境）が、予め定められた室内環境となった際に利用者に対して出力情報を出力することが可能となる。
【００３８】
上記発明においては、予め定められた複数の異なる前記設備の制御モードが記憶されたモード記憶部が予め設けられ、前記演算部は、前記複数の制御モードのうち指定された制御モードに従って、前記設備の制御内容を決定することが好ましい。
【００３９】
このように設備の制御の方向性（設備の消費電力を抑制する、利用者の室内環境に対する満足度を高くする、作業やプレゼンや会議などの利用者の活動状況に適した室内環境とする）を示す制御モードに従って、設備の制御内容を決定することにより、用途にあった設備の制御が容易となる。
【発明の効果】
【００４０】
本発明の設備制御システムによれば、情報端末に入力された第１文情報に基づいて解析された設備の制御に関する内容を決定するとともに、情報端末に出力する第２文情報の内容を決定することにより、設備の制御容易性、および、快適性の向上を図りやすくなるという効果を奏する。
【図面の簡単な説明】
【００４１】
【図１】本発明の第１の実施形態に係る設備制御システムの構成を説明するブロック図である。
【図２】図１の設備制御装置における制御内容を説明するフローチャートである。
【図３】図２のサブルーチンである入力情報による制御内容を説明するフローチャートである。
【図４】図２のサブルーチンである位置情報による制御内容を説明するフローチャートである。
【図５】図２のサブルーチンである室内環境による制御内容を説明するフローチャートである。
【図６】本発明の第１の実施形態の第１変形例に係る設備制御システムの構成を説明するブロック図である。
【図７】図６の設備制御装置におけるサブルーチンである入力情報による制御内容を説明するフローチャートである。
【図８】本発明の第１の実施形態の第２変形例に係る設備制御システムの構成を説明するブロック図である。
【図９】図８の設備制御装置におけるサブルーチンである入力情報による制御内容を説明するフローチャートである。
【図１０】本発明の第１の実施形態の第３変形例に係る設備制御システムの構成を説明するブロック図である。
【図１１】図１０の設備制御装置におけるサブルーチンである入力情報による制御内容を説明するフローチャートである。
【図１２】本発明の第２の実施形態に係る設備制御システムの構成を説明するブロック図である。
【図１３】図１２の設備制御装置におけるサブルーチンである入力情報による制御内容を説明するフローチャートである。
【図１４】本発明の第３の実施形態に係る設備制御システムの構成を説明するブロック図である。
【図１５】図１４の設備制御装置におけるサブルーチンである入力情報による制御内容を説明するフローチャートである。
【図１６】本発明の第４の実施形態に係る設備制御システムの構成を説明するブロック図である。
【図１７】図１６の設備制御装置におけるサブルーチンである入力情報による制御内容を説明するフローチャートである。
【図１８】本発明の第５の実施形態に係る設備制御システムの構成を説明するブロック図である。
【発明を実施するための形態】
【００４２】
〔第１の実施形態〕
この発明の第１の実施形態に係る設備制御システムについて、図１から図５を参照しながら説明する。本実施形態では、建物に設置された設備９０の制御に本発明の設備制御システム１が用いられている例に適用して説明する。ここで、設備９０とは建物の居室や執務室等の室内空間の環境を整えるために用いられる機器、例えば、空気調和装置や、照明機器などを例示することができる。そのため、建物には複数の設備９０が設置され、設備制御システム１は複数の設備９０の制御を行う例に適用して説明する。
【００４３】
なお、設備９０は、上述のように空気調和装置等に例示される室内環境を整える機器であってもよいし、その他の電力を消費する機器であってもよく、特に限定するものではない。また、設備９０は建物の内部に設置される例に適用して説明するが、建物の外部に設置されるものであってもよい。
【００４４】
本実施形態の設備制御システム１には、図１に示すように、設備制御装置１０と、情報端末３０と、検知部５０と、センサ７０と、が主に設けられている。なお、設備制御装置１０と、設備９０、検知部５０、およびセンサ７０との間は、有線または無線の公知の情報通信手段を介して情報の伝達が可能に接続されている。また、設備制御装置１０と、情報端末３０との間は、公知の無線通信網または無線通信網および有線通信網の組み合わせを介して情報伝達が可能に接続されている。
【００４５】
設備制御装置１０は、建物に設置された複数の設備９０の制御を行うものである。設備制御装置１０は、ＣＰＵ（中央演算処理ユニット）、ＲＯＭ、ＲＡＭ、入出力インタフェース等を有するサーバなどの情報処理装置である。上述のＲＯＭ等の記憶装置に記憶されているプログラムは、ＣＰＵ、ＲＯＭ、ＲＡＭ、入出力インタフェースを協働させて、少なくとも制御部１１、演算部１２、および、解析部１３として機能させるものである。
【００４６】
制御部１１は、室内環境の調整に用いられる設備９０に対して制御を行うか否かを判定するとともに、制御を行う場合には設備９０に出力する制御信号を生成する演算処理を行うものである。制御信号は、後述する演算部１２により求められた設備９０の制御内容に基づいて生成される。なお、制御を行うか否かを判定する演算処理の内容については後述する。
【００４７】
制御信号としては、例えば設備９０が空調装置である場合には、空調装置の稼働および停止を制御する信号や、室内温度の制御目標値を設定または変更する制御信号などが挙げられる。また、設備９０が照明機器である場合には、照明機器の点灯および消灯を制御する信号や、照明機器により照明される領域の明るさ（照度など）を設定または変更する制御信号などが挙げられる。
【００４８】
演算部１２は、設備９０の制御内容、および、情報端末３０に送信する文情報である送信情報の内容を求める演算処理を行うものである。ここで文情報は、複数の単語が、所定の法則に従って並べられた文章、または、文章に類似するものを示す情報である。演算部１２における演算処理の内容については後述する。
【００４９】
解析部１３は、入力情報に基づいて設備９０の制御に関する内容を解析する演算処理を行うものである。入力情報としては、情報端末３０に入力された設備９０の制御に関する文情報や、解析部の解析結果などが含まれる。解析部１３における演算処理の内容については後述する。
【００５０】
なお本実施形態では、１つの建物に１つの設備制御装置１０が対応して配置される例に適用して説明するが、複数の建物に１つの設備制御装置１０が対応して配置されてもよい。その他に、１つの建物に設置された複数の設備９０を複数のグループに分類し、複数の設備制御装置１０が、１つ又は複数のグループに属する設備９０に対応して配置されていてもよい。
【００５１】
情報端末３０は、建物に設置された設備９０を利用する利用者が携帯可能な情報端末であり、設備制御装置１０と情報の相互の通信が可能に接続されたものである。また情報端末３０は、建物に設置された複数の設備９０の制御に利用されるものでもある。情報端末３０は、ＣＰＵ（中央演算処理ユニット）、ＲＯＭ、ＲＡＭ、入出力インタフェース等を有するタブレット型ＰＣや、スマートフォンなどの情報処理端末である。
【００５２】
検知部５０は、情報端末３０の配置位置を検知し、検知した配置位置に関する信号情報（入力信号）を設備制御装置１０に出力するものである。本実施形態では、検知部５０は情報端末３０と近距離無線通信技術により通信可能な機器である例に適用して説明する。検知部５０による通信可能な範囲が建物の一部屋程度とされ、建物の部屋ごとに検知部５０が配置されている例に適用して説明する。
【００５３】
上述の近距離無線通信技術としてはＮＦＣ（Ｎｅａｒ Ｆｉｅｌｄ Ｃｏｍｍｕｎｉｃａｔｉｏｎ）、ＲＦＩＤ（Ｒａｄｉｏ  ｆｒｅｑｕｅｎｃｙ  ｉｄｅｎｔｉｆｉｅｒ）、ＢＬＥ（Ｂｌｕｅｔｏｏｔｈ（登録商標）  Ｌｏｗ  Ｅｎｅｒｇｙ）などがあり、それを利用したビーコンと当該ビーコンを検知する機器の組み合わせ等、公知の種々の技術を用いることができる。その他に、検知部５０および情報端末３０の一方に組み込まれた上記無線技術を利用したタグを、利用者が入退出する毎に他方に読み込ませるものであってもよい。
【００５４】
その他に、館内に二次元バーコードや三次元バーコードや、ＡＲタグなど（以下「二次元バーコードなど」と表記する。）を掲示し、情報端末３０により当該二次元バーコードなどを認識させてから所定期間内は、在館するとして処理を行ってもよい。また、二次元バーコードなどの他に予め定められた物品を情報端末３０により撮影し、撮影した画像を解析することにより当該物品と一致するか否かを識別し、一致する場合には在館するとして処理を行ってもよい。
【００５５】
さらに、情報端末３０の配置位置の検知方法としては、情報端末３０が公知の人工衛星を用いた測位技術を利用して測位した位置情報に基づいた検知方法を用いてもよく、特に限定するものではない。
【００５６】
また、情報端末３０の配置位置の検知方法として、Ｗｉ−Ｆｉ（登録商標）（以下、単に「Ｗｉ−Ｆｉ」とも表記する。）のＳＳＩＤによる判定を利用した検知方法であってもよいし、ＬＥＤ（発光ダイオード）照明を使った可視光通信を利用した検知方法であってもよい。
【００５７】
例えば、Ｗｉ−Ｆｉのアクセスポイントを建物内に配置し、情報端末３０が当該アクセスポイントから発信される電波を受信することによって、当該情報端末３０が当該建物の内部または近傍に存在することを検知することができる。この時、情報端末３０は、アクセスポイントに付与された固有のＳＳＩＤにより当該アクセスポイントを識別する。
【００５８】
なお、Ｗｉ−Ｆｉのアクセスポイントは、情報端末３０の配置位置の検知専用に用いられるものである必要はなく、情報端末３０の検知以外の目的（例えば、建物内での汎用な情報通信の目的）で設置されたものであってもよい。
【００５９】
また、Ｗｉ−Ｆｉのアクセスポイントから発信される電波の強度、および、情報端末３０が当該電波を受信する強度の閾値、の一方、または、両方を調整してもよい。このようにすることによって、当該アクセスポイントによって情報端末３０の配置位置が検知可能となるエリアの広さを調整することが可能である。
【００６０】
特定のＳＳＩＤを付与したＷｉ−Ｆｉアクセスポイントから電波を受信することにより情報端末３０の配置位置を検知する方法に代えて、当該アクセスポイントとの通信の確立をもって、情報端末３０の配置位置を検知する方法を用いてもよい。
【００６１】
さらに、Ｗｉ−Ｆｉが備える暗号化機能を用いることで、Ｗｉ−Ｆｉアクセスポイントと通信を確立させる情報端末３０を選択することができる。これを用いることで、設備制御装置１０による設備９０の制御を許可する情報端末３０を選択的に制限することが可能になる。
【００６２】
例えば、可視光通信の機能を備えたＬＥＤ照明と情報端末３０を用いる場合、建物内に可視光通信の機能を備えたＬＥＤ照明を設置する。当該ＬＥＤ照明から固有の識別情報を可視光通信により発信させ、この可視光通信を情報端末３０において受信して識別する。このようにすることによって、当該建物内に情報端末３０が存在すると検知することができる。
【００６３】
ＬＥＤ照明から発信される識別情報は、建物内のＬＥＤ照明が配置される室ごとに異なるものとしてもよい。その場合、情報端末３０がどの室に存在するかを識別することができる。
【００６４】
情報端末３０の配置位置の検知方法では、上述した種々の検知方法の組み合わせであってもよい。例えば、二次元バーコードなどを用いた検知方法と、公知の人工衛星を用いた測位技術を利用して測位した位置情報に基づいた検知方法と、を組み合わせてもよい。
【００６５】
このようにすることで、二次元バーコードなどを用いた検知方法において在館していない情報端末３０を誤って在館していると判定した場合であっても、公知の人工衛星を用いた測位技術を利用して測位した位置情報に基づいた検知方法により、この誤りを正すことが可能となる。二次元バーコードなどを用いた検知方法において誤って判定される場合としては、所定の位置以外の場所へ二次元バーコードなどが持ち出され、当該二次元バーコードなどを用いて検知が行われた場合などを例示することができる。
【００６６】
また、近距離無線通信を用いた検知方法と、二次元バーコードなどを用いた検知方法とを組み合わせてもよい。このようにすることで、例えば、近距離無線通信により情報端末３０を所持している人物の入館を判定し、その後、二次元バーコードにより情報端末３０を所持している人物の建物内での詳細な位置を把握することが可能となる。
【００６７】
センサ７０は、設備９０に関する状況、および、設備９０による環境制御が行われる室内環境のそれぞれを測定して測定情報を設備制御装置１０に出力するものである。センサ７０は、その測定する対象に応じて建物の内部や設備９０の所望の位置に複数配置されている。
【００６８】
設備９０に関する状況としては、設備９０の運転状況や、設備９０における制御の設定値などを例示することができる。また、室内環境としては、室内温度や、室内湿度や、窓の開閉や、室内の照度や輝度（明るさ）などを例示することができる。
【００６９】
次に、上記の構成からなる設備制御システム１における制御の内容について説明する。具体的には設備制御装置１０による設備９０を制御する方法について説明する。設備制御装置１０の運用が開始されると、設備制御装置１０は、図２に示す制御の処理を繰り返し行う。図２に示す制御は、連続して繰り返し行われてもよいし、所定の間隔をあけて間欠的に繰り返し行われてもよい。
【００７０】
まず、設備制御装置１０は、情報端末３０に利用者から入力情報が入力されたか否かを判定する処理を行う（Ｓ１１）。情報端末３０は、入力された入力情報を設備制御装置１０に送信する処理を行う。設備制御装置１０は、このようにして送信された入力情報があるか否かを判定する処理を行う。
【００７１】
ここで、情報端末３０に入力される入力情報としては、設備９０の制御変更を要望する内容の文情報を例示することができる。例えば、「暑いから室内温度を下げて」や「寒いから室内温度を上げて」や「手元が暗いから照明を明るくして」などが挙げられる。本実施形態では、入力情報が「暑いから室内温度を下げて」である例に適用して説明する。
【００７２】
情報端末３０には、設備９０の制御に用いられるアプリ（ソフトウエア）が予めインストールされている。利用者は、当該アプリを起動して、所望の入力情報を入力して送信する操作を行う。アプリとしては情報端末３０と設備制御装置１０との間で文章の情報である文情報の送受信が可能なものを例示することができる。より具体的には、リアルタイムで、テキストの送受信を1対1またはグループで行えるものを例示することができる。
【００７３】
入力情報が入力されたと判定された場合（ＹＥＳの場合）には、設備制御装置１０は、入力情報による制御の処理を行う（Ｓ３０）。入力情報による制御の詳細については後述する。
【００７４】
入力情報が入力されていないと判定された場合（ＮＯの場合）には、設備制御装置１０は、情報端末３０が建物外から建物内に入館したか否かを判定する処理を行う（Ｓ１２）。設備制御装置１０は、検知部５０から出力された位置信号に基づいて情報端末３０の配置位置を推定する処理を行う。推定された情報端末３０の配置位置が、制御対象である設備９０が設置された建物の外から建物内に入館したか否かに基づいて判定を行う。
【００７５】
例えば、検知部５０が、当該建物の内に配置された情報端末３０の位置のみを検知するものである場合には、それまで配置位置が検知されていなかった情報端末３０について、配置位置が検知されて検知部５０から位置信号が出力されると、当該情報端末３０が建物の外から建物内に入ったと判定される。
【００７６】
なお、検知部５０は、情報端末３０の配置位置を検知する際に、情報端末３０を個別に識別可能な固体識別情報も検知することができる。当該個体識別情報を検知することにより、情報端末３０が建物外から建物内に入ったか否かを判定する処理が容易になる。
【００７７】
また、本実施形態では、設備制御装置１０が、情報端末３０が建物外から建物内に入館したか否かを判定する処理に適用して説明するが、情報端末３０が、所定の部屋などの建物内の所定領域外から、所定領域内に入ったか否かを判定する処理を行ってもよい。
【００７８】
Ｓ１２の判定処理において、情報端末３０が建物外から建物内に入館したと判定された場合（ＹＥＳの場合）には、設備制御装置１０は、位置情報による制御の処理を行う（Ｓ５０）。位置情報による制御の詳細については後述する。
【００７９】
Ｓ１２の判定処理において、情報端末３０が建物外から建物内に入館していないと判定された場合（ＮＯの場合）には、設備制御装置１０は、設備制御装置１０は、室内環境が予め定められた所定の室内環境を満たすか否かを判定する処理を行う（Ｓ１３）。
【００８０】
設備制御装置１０は、センサ７０から出力された環境信号に基づいて、設備９０により室内環境の制御が行われている部屋において、室内環境が予め定められた所定の室内環境を満たすか否かを判定する処理を行う。また、設備制御装置１０は、センサ７０から出力された環境信号に基づいて、所定時間が経過した後の室内環境を推定する処理を行い、推定された室内環境が、予め定められた所定の室内環境を満たすか否かを判定する処理を行ってもよい。
【００８１】
本実施形態では、室内環境が室内温度である例に適用して説明するが、室内環境は、室内温度に限定されるものではなく、室内の湿度や、室内の照度や輝度が含まれていてもよい。この場合センサ７０は、それぞれの室内環境を測定できるものが用いられる。
【００８２】
予め定められた所定の室内環境は、設備制御装置１０に記憶されているものを例示することができる。本実施形態では所定の室内環境が、室内温度が２７℃以上である例に適用して説明するが、センサ７０により測定される室内環境の種類に応じて種々の条件が定められていてもよい。
【００８３】
Ｓ１３の判定処理において、室内環境が予め定められた所定の室内環境を満たすと判定された場合（ＹＥＳの場合）には、設備制御装置１０は、室内環境による制御の処理を行う（Ｓ７０）。室内環境による制御の詳細については後述する。
【００８４】
Ｓ１３の判定処理において、室内環境が予め定められた所定の室内環境を満たさないと判定された場合（ＮＯの場合）には、設備制御装置１０は、Ｓ１１に戻り上述の判定処理を繰り返し行う。
【００８５】
次に、設備制御装置１０における入力情報による制御の内容について図３を参照しながら説明する。Ｓ１１の判定処理において入力情報が入力されたと判定された場合（ＹＥＳの場合）には、設備制御装置１０は、図３に示す入力情報による制御の処理を開始する。
【００８６】
設備制御装置１０の解析部１３は、入力情報に基づいて空調装置である設備９０の制御内容（制御に関する内容）を解析する演算処理を行う（Ｓ３１）。解析の手法としては、統計学の手法を用いた解析を例示することができる。例えば、予め定められた長さの期間中に複数の利用者から入力された入力情報に基づいた解析が行われる。
【００８７】
具体的には、解析部１３は、入力情報に含まれる特定の言葉（例えば「暑い」）をトリガー（またはキー）として解析を行う。解析部１３は、解析時における空調装置（設備９０）における設定温度の情報を取得する。取得した設定温度が２７℃であったとすると、解析部１３は、過去に設定温度が２７℃の際の利用者の満足度に関する情報を取得し、取得した情報において不満足者（暑いと感じる利用者）の割合を求める統計処理を行う。
【００８８】
解析部１３により解析処理が行われると、設備制御装置１０の演算部１２は解析結果に基づいて、設備９０の制御内容を決定する演算処理を行う（Ｓ３２）。
具体的には、演算部１２は、解析部１３による解析結果である不満足者の割合が、予め定められた閾値（例えば７０％）以上の場合には、不満足者の割合が予め定められた他の閾値（例えば５０％）以下となる設定温度を求める統計処理を行う。例えば、設定温度を２６℃に設定すると不満足者の割合が他の閾値以下になる場合には、演算部１２は、空調装置である設備９０の設定温度を２６℃に変更する演算処理を行う。
【００８９】
解析部１３による解析結果である不満足者の割合が、予め定められた閾値（例えば７０％）未満の場合には、演算部１２は、空調装置である設備９０の設定温度を維持する演算処理を行う。
【００９０】
その後、設備制御装置１０の制御部１１は、演算部１２において決定された制御内容を設備９０に出力する処理を行う（Ｓ３３）。本実施形態では、設定温度を２６℃に変更する制御信号を設備９０に出力する例に適用して説明する。
【００９１】
次いで、演算部１２は情報端末３０に送信する文情報である送信情報の内容を作成する演算処理を行う（Ｓ３４）。その後、設備制御装置１０は、演算部１２において作成された送信情報を情報端末３０に送信する処理を行う（Ｓ３５）。
【００９２】
例えば、設備９０の設定温度を２６℃に変更する場合には、制御を行った後の設備９０の状況や、設定を変更した理由を説明する「不満足者が減る２６℃に設定したよ」との文章（内容）を求め、この文章が含まれる送信情報を作成する処理を行う。また、設備９０の設定温度を変更しない場合には、「不満足者が少ないから設定を変更しないよ」との文章を求め、この文章が含まれる送信情報を作成する処理を行う。
【００９３】
なお、演算部１２は上述のように、送信情報に制御を行った後の設備９０の状況や、設定を変更した理由に含める他に、制御を行った後の室内温度（室内状況）を説明する内容を送信情報に含めてもよい。
【００９４】
Ｓ３５の送信処理が行われると、設備制御装置１０は、図２のＳ３０に戻り上述の処理を繰り返し行う。これら一連の処理は、設備制御装置１０の運用期間にわたって繰り返し行われる。
【００９５】
次に、設備制御装置１０における位置情報による制御の内容について図４を参照しながら説明する。Ｓ１２の判定処理において情報端末３０が建物外から建物内に入ったと判定された場合（ＹＥＳの場合）には、設備制御装置１０は、図４に示す入力情報による制御の処理を開始する。
【００９６】
設備制御装置１０の演算部１２は、情報端末３０に送信する文情報である送信情報の内容を作成する演算処理を行う（Ｓ５１）。具体的には演算部１２は、Ｓ１２の判定処理において建物外から建物内に入ったと判定された情報端末３０に送信する送信情報を作成する。
【００９７】
送信情報には、情報端末３０を所持する利用者の状況を尋ねる内容が含まれる。例えば、利用者が外出先から帰社した直後か（歩いてきたところか）尋ねる内容や、上着を着ているか、長袖か、半袖か、ネクタイをしているかなど利用者の服装を尋ねる内容を挙げることができる。
【００９８】
また、演算処理を行っているタイミングの季節や外気温、さらに、情報端末３０を所持する利用者の性別に基づいて、予め定められた標準的な服装を求め、当該服装との違いを確認する内容を送信情報としてもよい。
【００９９】
送信情報が作成されると、設備制御装置１０は、演算部１２において作成された送信情報を情報端末３０に送信する処理を行う（Ｓ５２）。
その後、設備制御装置１０の解析部１３は、送信情報に対して当該利用者が情報端末３０に回答した文情報である出力情報に基づいて空調装置である設備９０の制御内容を解析する演算処理を行う（Ｓ５３）。
【０１００】
例えば、利用者が建物に入館してから経過した時間に応じた設定温度ごとの満足度に関する情報を取得して、取得した入館してからの経過時間において不満足者（暑いと感じる利用者）の割合を求める統計処理を行う。また、利用者の服装に応じた設定温度毎の満足度に関する情報を取得して、取得した利用者の服装において不満足者の割合を求める統計処理を行う。
【０１０１】
解析部１３により解析処理が行われると、設備制御装置１０の演算部１２は解析結果に基づいて、設備９０の制御内容を決定する演算処理を行う（Ｓ５４）。その後、設備制御装置１０の制御部１１は、演算部１２において決定された制御内容を設備９０に出力する処理を行う（Ｓ５５）。
【０１０２】
例えば、利用者が入館してから経過した時間が予め定められた所定時間よりも短い場合や、入館した利用者の服装が、想定される服装よりも暑さを感じやすい服装であった場合には、設備９０の制御内容を維持する演算処理を行う。
【０１０３】
その一方で、利用者が入館してから経過した時間が予め定められた所定時間以上である場合や、入館した利用者の服装が、想定される服装と同程度の暑さを感じやすい服装や、より涼しいと感じる服装であった場合には、設備９０の制御内容を変更する（例えば設定温度を下げる）演算処理を行う。
【０１０４】
その他に、入館して間もない利用者が「不満足（暑い）」と言っている場合に、一時的に設定温度を下げて涼しくし、一定時間が経過したら設定温度を元に戻す制御を行ってもよい。この場合、当該利用者は一時的に涼しくなった環境により、歩行により上昇した体温を低下させ、快適にその後のデスクワークに着手できる。周囲の利用者も、一時的な温度の低下であれば、寒さによって不快を感じるおそれは少ない。
【０１０５】
次いで、演算部１２は情報端末３０に送信する文情報である送信情報の内容を作成する演算処理を行う（Ｓ５６）。その後、設備制御装置１０は、演算部１２において作成された送信情報を情報端末３０に送信する処理を行う（Ｓ５７）。
【０１０６】
例えば、設備９０の制御内容（設定温度）を維持する場合には、利用者が入館した直後であること、しばらくすると暑さを感じなくなる（であろう）こと、暑さを感じやすい服装であること、上着を脱いでみてはどうかということ（といったアドバイス）、を指摘し、設定温度を維持することを伝える文章を求め、この文章が含まれる送信情報を作成する処理を行う。また、設備９０の制御内容を変更する場合には、変更内容を説明する文章を求め、この文章が含まれる送信情報を作成する処理を行う。
【０１０７】
Ｓ５７の送信処理が行われると、設備制御装置１０は、図２のＳ５０に戻り上述の処理を繰り返し行う。これら一連の処理は、設備制御装置１０の運用期間にわたって繰り返し行われる。
【０１０８】
次に、設備制御装置１０における室内環境による制御の内容について図５を参照しながら説明する。Ｓ１３の判定処理において室内環境が所定室内環境を満たすと判定された場合（ＹＥＳの場合）には、設備制御装置１０は、図５に示す入力情報による制御の処理を開始する。
【０１０９】
設備制御装置１０の演算部１２は、情報端末３０に送信する文情報である送信情報の内容を作成する演算処理を行う（Ｓ７１）。具体的には演算部１２は、Ｓ１３の判定処理において室内環境が所定室内環境を満たすと判定された室内に配置されている情報端末３０に送信する送信情報を作成する。
【０１１０】
送信情報には、情報端末３０を所持する利用者に設備９０の制御内容の変更を尋ねる内容が含まれる。例えば、室内温度が予め定められた所定の閾値温度となった際に、設備９０である空調装置の設定温度を変更するかを尋ねる内容を挙げることができる。その他に、設備９０が外気を導入する冷房である外気冷房に対応した空調装置である場合には、外気冷房による空調に変更するか否かを尋ねる内容も挙げることができる。
【０１１１】
送信情報が作成されると、設備制御装置１０は、演算部１２において作成された送信情報を情報端末３０に送信する処理を行う（Ｓ７２）。
その後、設備制御装置１０の解析部１３は、送信情報に対して当該利用者が情報端末３０に回答した文情報である出力情報に基づいて空調装置である設備９０の制御内容を解析する演算処理を行う（Ｓ７３）。例えば、送信情報を送信した利用者数に対する設備９０である空調機の制御内容の変更を希望する出力情報を回答した利用者数の割合を求める統計処理を行う。
【０１１２】
解析部１３により解析処理が行われると、設備制御装置１０の演算部１２は解析結果に基づいて、設備９０の制御内容を決定する演算処理を行う（Ｓ７４）。その後、設備制御装置１０の制御部１１は、演算部１２において決定された制御内容を設備９０に出力する処理を行う（Ｓ７５）。
【０１１３】
例えば、送信情報を送信した利用者数に対する制御内容の変更を希望する出力情報を回答した利用者数の割合が、予め定められた所定の割合（例えば５０％）以上の場合には、設備９０の制御内容を変更する（例えば、設定温度を下げる）演算処理を行う。その一方で、上述の割合が所定の割合未満の場合には、設備９０の制御内容を維持する演算処理を行う。
【０１１４】
次いで、演算部１２は情報端末３０に送信する文情報である送信情報の内容を作成する演算処理を行う（Ｓ７６）。その後、設備制御装置１０は、演算部１２において作成された送信情報を情報端末３０に送信する処理を行う（Ｓ７７）。
【０１１５】
例えば、設備９０の制御内容（設定温度）を変更する場合には、制御内容の変更を希望する出力情報を回答した利用者数の割合が所定の割合以上であることを指摘し、変更内容を説明する文章を求め、この文章が含まれる送信情報を作成する処理を行う。また、設備９０の制御内容を維持する場合には、制御内容の変更を希望する出力情報を回答した利用者数の割合が所定の割合未満であることを指摘し、設定温度を維持することを伝える文章を求め、この文章が含まれる送信情報を作成する処理を行う。
【０１１６】
Ｓ７７の送信処理が行われると、設備制御装置１０は、図２のＳ７０に戻り上述の処理を繰り返し行う。これら一連の処理は、設備制御装置１０の運用期間にわたって繰り返し行われる。
【０１１７】
例えば、省エネルギーのため、営業時間が終了すると自動的に空調をオフにする制御を行っているオフィスの例について説明する。この場合、営業時間終了後、空調（暖房）が停止して、時間の経過とともに室温が徐々に低下し、室温が予め定められた温度（例えば、２０℃）を下回ると（Ｓ１３におけるＹＥＳ）、設備制御装置１０は、図５に示す入力情報による制御の処理を開始する。
【０１１８】
設備制御装置１０の演算部１２は、「空調をオンにしますか」といったメッセージ（送信情報）を作成する演算処理を行い（Ｓ７１）、当該メッセージを情報端末３０に送信する処理を行う（Ｓ７２）。
【０１１９】
解析部１３は、空調装置である設備９０の制御内容を解析する演算処理を行う（Ｓ７３）。具体的には、上述のメッセージが送信された利用者による「はい（空調をオンにしたい）」という回答の件数を数える演算処理を行う（Ｓ７３）。
【０１２０】
「はい」という回答の件数が予め定めた所定の数を超えている場合、または、全体の回答数に対する「はい」という回答の件数の割合が予め定めた所定の割合を超えている場合には、設備９０をオンにする（空調運転を開始する）と判断する処理を行う（Ｓ７４）。
【０１２１】
「はい」という回答の件数が予め定めた所定の数以下である場合、または、全体の回答数に対する「はい」という回答の件数の割合が予め定めた所定の割合以下である場合には、設備９０をオフにする（空調運転を停止する）と判断する処理を行う（Ｓ７４）。
【０１２２】
その後、設備制御装置１０の制御部１１は、Ｓ７４の判断処理の結果に基づいて、設備９０をオンにする、または、オフにする制御内容を出力する処理を行う（Ｓ７５）。
【０１２３】
また上述のメッセージが送信された利用者が無回答（回答しない）の時には、解析部１３は、当該利用者が空調装置である設備９０による空調が行われる部屋（またはエリア）に在席していない、または、間もなく当該部屋から退出する等の理由により、設備９０をオンにする必要がないと判断する処理を行ってもよい（Ｓ７４）。
【０１２４】
さらに、上述のメッセージが送信された利用者による「いいえ（空調オフのままで良い）」等の回答の件数が予め定めた所定の数を超えている場合、または、全体の回答数に対する「いいえ」という回答の件数の割合が予め定めた所定の割合を超えている場合には、設備９０をオフにする（空調運転を停止する）と判断する処理を行ってもよい（Ｓ７４）。
【０１２５】
「いいえ」という回答の件数が予め定めた所定の数以下である場合、または、全体の回答数に対する「いいえ」という回答の件数の割合が予め定めた所定の割合以下である場合には、設備９０をオンにする（空調運転を開始する）と判断する処理を行ってもよい（Ｓ７４）。
【０１２６】
その後、演算部１２は、例えば、「利用者が３名以上いるので空調をオンにしました」といったメッセージを作成する演算処理を行い（Ｓ７６）。情報端末３０に送信する処理を行う（Ｓ７７）。
【０１２７】
こうした処理により、無人の部屋やエリア等などのように、設備９０（空調装置）を運転する必要のない部屋やエリアに対して無駄な空調運転が行われることが抑制される。また、人を検知するセンサ等を用いて設備９０（空調装置）の運転を自動的に制御する場合と比べて、運転で消費されるエネルギーの低減を図ることができる。さらに、営業時間外であっても設備９０（空調装置）の運転を制御することができ、営業時間外には空調がオンにできない、といった不便の発生を抑制することができる。
【０１２８】
その他に、部屋やエリアの利用者が設備９０（空調装置）の運転を制御する場合（言い換えると、当該利用者に対して設備９０の操作権を解放する場合）には、利用者が外部から入室した際に、部屋等の温度が所定の温度範囲以内であっても（言い換えると、設備９０を運転する必要のない室温であっても）設備９０を運転（空調を開始）させる可能性があったり、部屋等の温度が所定の温度範囲よりも低い温度となるように設備９０を制御する可能性があったりする。しかしながら、上述の制御処理を行うことにより、これらの可能性を回避することができる。
【０１２９】
他にも、設備９０の運転停止が予定されている日（休日）に、室内等の温度が所定の範囲（例えば下限が２０℃、上限が３０℃）以上または以下になった場合に、当該室内等に在席している利用者に対して、設備９０の運転を行うか否かを問うメッセージ（送信情報）を情報端末３０に送信する処理を行ってもよい。
【０１３０】
例えば、設備制御装置１０が情報端末３０を所持する利用者に対して、居室の窓の開閉を通知する例について説明する。この場合、設備制御装置１０は、屋外に設置した各種センサ（温度、湿度、雨量等）の値が一定の（外気冷房に適した）条件を満たした場合に、情報端末３０に窓開けを推奨するメッセージを送信する。
【０１３１】
情報端末３０を所持する利用者が窓を開けると、窓に設置された窓の開閉を検知するセンサが窓開けを検知し、検知信号が設備制御装置１０に入力される。設備制御装置１０は、検知信号が入力されると設備９０である空調装置の運転を停止する制御を行う。
【０１３２】
Ｓ１３の判定処理において、例えば、さらに、屋外が気温２２〜２６℃かつ湿度７０％以下かつ降雨無しの条件が満たされると判定された場合には、設備制御装置１０は、外気冷房に適した気候であるとの判定を行う。そして設備制御装置１０は、図５に示す入力情報による制御の処理を開始する。
【０１３３】
設備制御装置１０の演算部１２は、窓が閉じられている場合には「外は心地よい気候です。窓を開けて外の空気を取り入れませんか」といったメッセージを作成する処理を行い（Ｓ７１）、作成したメッセージを情報端末３０に送信する処理を行う（Ｓ７２）。
【０１３４】
メッセージの送信を受けた情報端末３０を所持する利用者は、何らかの理由（例えば、花粉症、騒音、強風等、上記の屋外に設置した各種センサ計測値で判定できないもの）で窓開けに反対したい場合には、情報端末３０を用いて設備制御装置１０へ窓開け反対（拒否）の回答を行う。その一方で、窓開けに賛成したい場合には、情報端末３０を用いて設備制御装置１０へ窓開け賛成の回答を行う。これら回答には、積極的に賛成する回答、消極的に賛成する回答、および、反対する回答に分けられていてもよい。
【０１３５】
設備制御装置１０の解析部１３は、窓開けに対して積極的に賛成する利用者、消極的に賛成する利用者、反対する利用者をカウントするとともに、窓開け拒否の理由を含めた解析の演算処理を行う（Ｓ７３）。
【０１３６】
解析部１３により解析処理が行われると、設備制御装置１０の演算部１２は解析結果に基づいて、設備９０の制御内容を決定する演算処理を行う（Ｓ７４）。例えば、花粉症を理由とした窓開け拒否は、多数決ではなく、一人でも窓開けを拒否する人がいれば、窓は開けないと決定する処理を行う。また、前面道路を通る車の音が気になる、という理由であれば、積極的な窓開け賛成者との多数決により、窓を開けると決定する処理を行ってもよい。
【０１３７】
設備制御装置１０の制御部１１は、演算部１２において決定された制御内容に関する文情報を情報端末３０に出力する処理を行う（Ｓ７５）。例えば、Ｓ７４において窓を開けると決定された場合には、「お近くの方は窓を開けてください」とメッセージを送信する処理を行う。
【０１３８】
次いで、演算部１２は情報端末３０に送信する文情報である送信情報の内容を作成する演算処理を行う（Ｓ７６）。具体的には、Ｓ７４での決定プロセスを利用者に説明するメッセージを作成する処理を行う。その後、設備制御装置１０は、演算部１２において作成された送信情報を情報端末３０に送信する処理を行う（Ｓ７７）。
【０１３９】
例えば、窓を開ける決定がされた場合には「窓開けに反対される方はいませんでしたので、窓を開けることになりました」とのメッセージが作成されて送信される。また、窓を開けない決定がされた場合には「花粉症の方がいるようですので窓開けは見送ります」とのメッセージが作成されて送信される。
【０１４０】
なお、設備制御装置１０が情報端末３０を所持する利用者に対して、居室の窓の開閉を通知する例では、窓を開ける決定がされた場合に、情報端末３０を所持する利用者の誰かが窓を開けたら、情報端末３０を所持する利用者に協力に関する感謝を伝えてもよいし、窓開けに伴う設備９０の制御変更の内容を、情報端末３０を所持する利用者に伝えてもよい。窓開けに伴う設備９０の制御変更の内容による効果を、情報端末３０を所持する利用者に分かりやすく伝えてもよい。
【０１４１】
情報端末３０を所持する利用者に伝えるメッセージとしては、例えば、「窓を開けてくださってありがとうございます」「窓が開いている間、空調を停止します」「窓開けは、１時間当たり平均〇〇ｋＷｈの電力の節約になります。二酸化炭素排出力の削減に効果があります」などを挙げることができる。
【０１４２】
上記の構成の設備制御システム１によれば送信情報を情報端末３０に出力することにより、利用者が設備９０の制御が行われていることを知り納得感を得ることが可能となり、快適性の向上を図りやすくなる。
【０１４３】
情報端末３０に入力された入力情報に基づいて設備９０の制御が行われるため、管理者に設備の制御について要望を伝える場合と比較して、設備９０の制御容易性を図りやすくなる。また、複数の単語を有する文としての情報である入力情報を情報端末３０に入力して制御を行うため、単語のみの情報を入力して制御を行う場合と比較して、入力情報に設備の制御を要望する理由を表す単語が含まれる可能性が高くなるため、当該理由などを考慮した制御が可能となり、快適性の向上が図りやすくなる。
【０１４４】
制御を行った後の設備９０の状況や、設定を変更した理由を送信情報として情報端末に出力することにより、設備９０の制御を目的とした入力情報を情報端末３０に入力した利用者が、納得感を得やすくなる。そのため、当該利用者が設備９０の制御に関する入力情報を繰り返し情報端末に入力することを抑制できる。
【０１４５】
入力信号に位置信号が含まれることにより、適切なタイミングで適切な内容の出力情報を出力することが可能となる。例えば、利用者が室内に入室したタイミングで、当該利用者が当該室内で何を行うかを尋ねる出力情報を出力することが可能となる。さらに、この出力情報の回答内容に基づいて設備９０を制御することが可能となる。
【０１４６】
入力信号に環境信号が含まれることにより、予め定められた室内環境となった際に利用者に対して出力情報を出力することが可能となる。例えば、室内温度が予め定められた所定の閾値温度となった際に、設備９０である空調装置の設定温度を変更するかを尋ねる出力情報を出力することが可能となる。
【０１４７】
〔第１の実施形態の第１変形例〕
次に、本発明の第１の実施形態の第２変形例に係る設備制御システムついて図６および図７を参照しながら説明する。本変形例の設備制御システムの基本構成は、第１の実施形態と同様であるが、第１の実施形態とは、情報端末に送信される出力情報の内容が異なっている。よって、本変形例においては、図６および図７を用いて情報端末に送信される出力情報に関連する内容のみを説明し、その他の説明を省略する。
【０１４８】
本変形例における設備制御システム１０１の設備制御装置１１０は、建物に設置された複数の設備９０の制御を行うものである。設備制御装置１１０は、ＣＰＵ（中央演算処理ユニット）、ＲＯＭ、ＲＡＭ、入出力インタフェース等を有するサーバなどの情報処理装置である。上述のＲＯＭ等の記憶装置に記憶されているプログラムは、ＣＰＵ、ＲＯＭ、ＲＡＭ、入出力インタフェースを協働させて、少なくとも制御部１１、演算部１１２、および、解析部１３として機能させるものである。
【０１４９】
演算部１１２は、設備９０の制御内容、および、情報端末３０に送信する文情報である送信情報の内容を求める演算処理を行うものである。送信情報は、情報端末３０に入力情報を入力した利用者に対して、当該利用者の状況を尋ねる内容が含まれたものである。演算部１１２における演算処理の内容については後述する。
【０１５０】
次に、上記の構成からなる設備制御システム１０１における制御の内容について説明する。具体的には設備制御装置１１０による設備９０を制御する方法について説明する。設備制御装置１１０の運用が開始された後の処理の内容は、第１の実施形態の設備制御装置１０における処理の内容（図２参照。）と同様であるため、その説明を省略し、設備制御装置１１０における入力情報による制御の内容について、図７を参照しながら説明する。
【０１５１】
Ｓ１１の判定処理において入力情報が入力されたと判定された場合（ＹＥＳの場合）には、設備制御装置１１０は、図７に示す入力情報による制御の処理を開始する。設備制御装置１１０の演算部１１２は情報端末３０に送信する文情報である送信情報の内容を作成する演算処理を行う（Ｓ１３１）。
【０１５２】
例えば、情報端末３０に入力情報を入力した利用者に対して、当該利用者の状況を尋ねる文章（内容）を求め、この文章が含まれる送信情報を作成する処理を行う。利用者の状況としては、利用者が上着を着ているか、長袖か、半袖か、ネクタイをしているかなど利用者の服装を尋ねる内容や、利用者が行っている作業の内容などを挙げることができる。
【０１５３】
また、演算処理を行っているタイミングの季節や外気温、さらに、情報端末３０を所持する利用者の性別に基づいて、予め定められた標準的な服装を求め、当該服装との違いを確認する内容を送信情報としてもよい。
【０１５４】
その後、設備制御装置１１０は、演算部１１２において作成された送信情報を情報端末３０に送信する処理を行う（Ｓ１３２）。
その後、設備制御装置１１０の解析部１３は、送信情報に対して当該利用者が情報端末３０に回答した文情報である出力情報に基づいて空調装置である設備９０の制御内容を解析する演算処理を行う（Ｓ１３３）。
【０１５５】
例えば、利用者の服装に応じた設定温度毎の満足度に関する情報を取得して、取得した利用者の服装において不満足者の割合を求める統計処理を行う。その他に、利用者が行っている作業に応じた設定温度毎の満足度に関する情報を取得して、取得した利用者の作業内容において不満足者の割合を求める統計処理を行う。
【０１５６】
解析部１３により解析処理が行われると、設備制御装置１１０の演算部１１２は解析結果に基づいて、設備９０の制御内容を決定する演算処理を行う（Ｓ１３４）。その後、設備制御装置１１０の制御部１１は、演算部１１２において決定された制御内容を設備９０に出力する処理を行う（Ｓ１３５）。
【０１５７】
例えば、利用者の服装が、想定される服装よりも暑さを感じやすい服装であった場合には、設備９０の制御内容を維持する演算処理を行う。また、利用者の作業が、荷物の運搬など想定よりも暑さを感じやすい作業であった場合には、設備９０の制御内容を維持する演算処理を行う。
【０１５８】
その一方で、利用者の服装が、想定される服装と同程度の暑さを感じやすい服装や、より涼しいと感じる服装であった場合には、設備９０の制御内容を変更する（例えば設定温度を下げる）演算処理を行う。また、利用者の作業が、デスクワークなど想定よりも涼しさを感じやすい作業であった場合には、設備９０の制御内容を変更する演算処理を行う。
【０１５９】
次いで、演算部１１２は情報端末３０に送信する文情報である送信情報の内容を作成する演算処理を行う（Ｓ１３６）。その後、設備制御装置１０は、演算部１１２において作成された送信情報を情報端末３０に送信する処理を行う（Ｓ１３７）。
【０１６０】
上記の構成によれば、利用者の状況を尋ねる送信情報を情報端末に出力することにより、設備９０の制御を適切に行いやすくなる。つまり、設備９０の制御に関する入力情報を入力した利用者に対して活動状況や服装等である利用者の状況を尋ねることにより、当該利用者以外の他の利用者も同様に設備９０の制御を要望するか否かを判定することが可能となる。当該利用者のみが設備９０の制御を要望している場合と、他の利用者も設備の制御を要望している場合とで設備９０の制御内容を変えることで、設備９０の制御を適切に行いやすくなる。
【０１６１】
〔第１の実施形態の第２変形例〕
次に、本発明の第１の実施形態の第２変形例に係る設備制御システムついて図８および図９を参照しながら説明する。本変形例の設備制御システムの基本構成は、第１の実施形態と同様であるが、第１の実施形態とは、情報端末に送信される出力情報の内容が異なっている。よって、本変形例においては、図８および図９を用いて情報端末に送信される出力情報に関連する内容のみを説明し、その他の説明を省略する。
【０１６２】
本変形例における設備制御システム２０１の設備制御装置２１０は、建物に設置された複数の設備９０の制御を行うものである。設備制御装置２１０は、ＣＰＵ（中央演算処理ユニット）、ＲＯＭ、ＲＡＭ、入出力インタフェース等を有するサーバなどの情報処理装置である。上述のＲＯＭ等の記憶装置に記憶されているプログラムは、ＣＰＵ、ＲＯＭ、ＲＡＭ、入出力インタフェースを協働させて、少なくとも制御部１１、演算部２１２、および、解析部１３として機能させるものである。
【０１６３】
演算部２１２は、設備９０の制御内容、および、情報端末３０に送信する文情報である送信情報の内容を求める演算処理を行うものである。送信情報は、情報端末３０に入力情報を入力した利用者に対して、設備９０による環境制御が行われる室内状況を所定の室内状況に誘導する内容が含まれたものである。演算部２１２における演算処理の内容については後述する。
【０１６４】
次に、上記の構成からなる設備制御システム２０１における制御の内容について説明する。具体的には設備制御装置２１０による設備９０を制御する方法について説明する。設備制御装置２１０の運用が開始された後の処理の内容は、第１の実施形態の設備制御装置１０における処理の内容（図２参照。）と同様であるため、その説明を省略し、設備制御装置２１０における入力情報による制御の内容について、図９を参照しながら説明する。
【０１６５】
Ｓ１１の判定処理において入力情報が入力されたと判定された場合（ＹＥＳの場合）には、設備制御装置２１０は、図９に示す入力情報による制御の処理を開始する。設備制御装置２１０の解析部１３は、入力情報に基づいて空調装置である設備９０の制御内容（制御に関する内容）を解析する演算処理を行う（Ｓ３１）。
【０１６６】
解析部１３により解析処理が行われると、設備制御装置２１０の演算部２１２は解析結果に基づいて、設備９０の制御内容を決定する演算処理を行う（Ｓ３２）。その後、設備制御装置２１０の制御部１１は、演算部２１２において決定された制御内容を設備９０に出力する処理を行う（Ｓ３３）。
【０１６７】
次いで、演算部２１２は情報端末３０に送信する文情報である送信情報の内容を作成する演算処理を行う（Ｓ２３４）。その後、設備制御装置２１０は、演算部２１２において作成された送信情報を情報端末３０に送信する処理を行う（Ｓ３５）。
【０１６８】
例えば、設備９０の設定温度を変更しない場合には、センサ７０により測定された室内温度を伝えるとともに、当該室内温度（例えば２６℃）は涼しい温度であることを伝える文章（内容）を求め、この文章が含まれる送信情報を作成する処理を行う。
【０１６９】
上記の構成によれば、所定の室内状況に誘導する内容を含む送信情報を情報端末３０に出力することにより、設備９０により消費される電力の増加を抑制しやすくなる。具体的には、利用者が設備９０である空調装置における設定温度を下げることを要望する場合であっても、当該設定温度を変更しないなど、設備９０により消費される電力の増加量が少ない所定の室内状況に誘導する内容の文情報を出力することにより、設備９０の消費電力の増加を抑制しやすくなる。
【０１７０】
〔第１の実施形態の第３変形例〕
次に、本発明の第１の実施形態の第３変形例に係る設備制御システムついて図１０および図１１を参照しながら説明する。本変形例の設備制御システムの基本構成は、第１の実施形態と同様であるが、第１の実施形態とは、情報端末に送信される出力情報の内容が異なっている。よって、本変形例においては、図１０および図１１を用いて情報端末に送信される出力情報に関連する内容のみを説明し、その他の説明を省略する。
【０１７１】
本変形例における設備制御システム３０１の設備制御装置３１０は、建物に設置された複数の設備９０の制御を行うものである。設備制御装置３１０は、ＣＰＵ（中央演算処理ユニット）、ＲＯＭ、ＲＡＭ、入出力インタフェース等を有するサーバなどの情報処理装置である。上述のＲＯＭ等の記憶装置に記憶されているプログラムは、ＣＰＵ、ＲＯＭ、ＲＡＭ、入出力インタフェースを協働させて、少なくとも制御部１１、演算部３１２、および、解析部１３として機能させるものである。
【０１７２】
演算部３１２は、設備９０の制御内容、および、情報端末３０に送信する文情報である送信情報の内容を求める演算処理を行うものである。送信情報は、情報端末３０に入力情報を入力した利用者に好ましいと判定される室内環境とされている領域への移動を促す内容が含まれたものである。演算部３１２における演算処理の内容については後述する。
【０１７３】
次に、上記の構成からなる設備制御システム３０１における制御の内容について説明する。具体的には設備制御装置３１０による設備９０を制御する方法について説明する。設備制御装置３１０の運用が開始された後の処理の内容は、第１の実施形態の設備制御装置１０における処理の内容（図２参照。）と同様であるため、その説明を省略し、設備制御装置３１０における入力情報による制御の内容について、図１１を参照しながら説明する。
【０１７４】
Ｓ１１の判定処理において入力情報が入力されたと判定された場合（ＹＥＳの場合）には、設備制御装置３１０は、図１１に示す入力情報による制御の処理を開始する。設備制御装置３１０の解析部１３は、入力情報に基づいて空調装置である設備９０の制御内容（制御に関する内容）を解析する演算処理を行う（Ｓ３１）。
【０１７５】
解析部１３により解析処理が行われると、設備制御装置３１０の演算部３１２は解析結果に基づいて、設備９０の制御内容を決定する演算処理を行う（Ｓ３２）。その後、設備制御装置３１０の制御部１１は、演算部３１２において決定された制御内容を設備９０に出力する処理を行う（Ｓ３３）。
【０１７６】
次いで、演算部２１２は情報端末３０に送信する文情報である送信情報の内容を作成する演算処理を行う（Ｓ３３４）。その後、設備制御装置２１０は、演算部３１２において作成された送信情報を情報端末３０に送信する処理を行う（Ｓ３５）。
【０１７７】
例えば、設備９０の設定温度を変更しない場合には、入力情報を入力した利用者に対して、当該利用者が要望する室内環境が実現されている領域があることを伝えるとともに、当該領域への移動を促す文章（内容）を求め、この文章が含まれる送信情報を作成する処理を行う。
【０１７８】
上記の構成によれば、移動を促す内容の文情報を情報端末３０に出力することにより、設備９０により消費される電力の増加を抑制しやすくなる。つまり、要望する室内環境が実現されている領域へ利用者を誘導することにより、設備９０の制御内容を変更する必要性が低減し、設備９０により消費される電力の増加が抑制される。
【０１７９】
〔第２の実施形態〕
次に、本発明の第２の実施形態に係る設備制御システムついて図１２および図１３を参照しながら説明する。本実施形態の設備制御システムの基本構成は、第１の実施形態と同様であるが、第１の実施形態とは、情報端末に送信される出力情報の内容等が異なっている。よって、本実施形態においては、図１２および図１３を用いて情報端末に送信される出力情報に関連する内容等について説明し、その他の説明を省略する。
【０１８０】
本実施形態における設備制御システム４０１の設備制御装置４１０は、建物に設置された複数の設備９０の制御を行うものである。設備制御装置４１０は、ＣＰＵ（中央演算処理ユニット）、ＲＯＭ、ＲＡＭ、入出力インタフェース等を有するサーバなどの情報処理装置である。上述のＲＯＭ等の記憶装置に記憶されているプログラムは、ＣＰＵ、ＲＯＭ、ＲＡＭ、入出力インタフェースを協働させて、少なくとも制御部１１、演算部４１２、解析部４１３、履歴記憶部４１４、および、評価部４１５、として機能させるものである。
【０１８１】
演算部４１２は、設備９０の制御内容、および、情報端末３０に送信する文情報である送信情報の内容を求める演算処理を行うものである。送信情報は、情報端末３０に入力情報を入力した利用者に室内環境に対する満足または不満足の理由を尋ねる内容が含まれたものである。演算部４１２における演算処理の内容については後述する。
【０１８２】
解析部４１３は、入力情報に基づいて設備９０の制御に関する内容を解析する演算処理を行うものである。入力情報としては、情報端末３０に入力された設備９０の制御に関する文情報や、解析部の解析結果などが含まれる。解析部４１３における演算処理の内容については後述する。
【０１８３】
履歴記憶部４１４は、情報端末３０を個別に識別する識別情報、情報端末３０に入力された入力情報、当該入力情報が入力された際にセンサ７０から出力された測定情報と、を紐付けて記憶するものである。
【０１８４】
評価部４１５は、情報端末３０を個別に識別する識別情報ごとに、センサ７０から出力された測定情報および入力情報との関連を評価する演算処理を行うものである。演算処理の内容については後述する。
【０１８５】
次に、上記の構成からなる設備制御システム４０１における制御の内容について説明する。具体的には設備制御装置４１０による設備９０を制御する方法について説明する。設備制御装置４１０の運用が開始された後の処理の内容は、第１の実施形態の設備制御装置１０における処理の内容（図２参照。）と同様であるため、その説明を省略し、設備制御装置４１０における入力情報による制御の内容について、図１３を参照しながら説明する。
【０１８６】
Ｓ１１の判定処理において入力情報が入力されたと判定された場合（ＹＥＳの場合）には、設備制御装置４１０は、図１３に示す入力情報による制御の処理を開始する。設備制御装置４１０の演算部４１２は情報端末３０に送信する文情報である送信情報の内容を作成する演算処理を行う（Ｓ４３１）。その後、設備制御装置１１０は、演算部１１２において作成された送信情報を情報端末３０に送信する処理を行う（Ｓ４３２）。
【０１８７】
例えば、情報端末３０に入力情報を入力した利用者に対して、室内環境に対する満足または不満足の理由を尋ねる文章（内容）を求め、この文章が含まれる送信情報を作成する処理を行う。また、センサ７０から出力された測定情報に基づいて、測定情報から推定される室内環境が正しいか否かを尋ねる文章を求め、この文章が含まれる送信情報を作成する処理を行う。なお、Ｓ１１の判定処理の段階で、室内環境に対する満足または不満足の理由を示す文章が含まれている場合には、Ｓ４３１およびＳ４３２の処理を省略してもよい。
【０１８８】
その後、設備制御装置４１０の解析部４１３は、送信情報に対して当該利用者が情報端末３０に回答した文情報である回答情報（出力情報）に基づいて空調装置である設備９０の制御内容を解析する演算処理を行う（Ｓ４３３）。
【０１８９】
例えば、利用者の回答情報に含まれる満足または不満足の理由を取得して、取得した理由において不満足者の割合を求める統計処理を行う。具体的な「不満足の理由」としては、湿度が高い（じめじめする、蒸し暑い、等）といった理由や、窓際で日射が当たっている、ＰＣのディスプレイから熱を感じる（画面からの熱放射で暑い）、空調の吹き出し気流が当たっていて寒い（風が当たって寒い）、等が挙げられる。これらは、設備が備えているセンサでは検知できない要素であり、また、直接的に制御できない要素である可能性が高いものである。
【０１９０】
また、情報端末３０に入力された入力情報、および、センサ７０から出力された測定情報に基づいて設備の制御に関する内容の解析を行う。具体的には、履歴記憶部４１４に紐付けされて記憶された情報端末３０を個別に識別する識別情報、情報端末３０に入力された入力情報、当該入力情報が入力された際にセンサ７０から出力された測定情報に基づいて、評価部４１５が評価処理を行った結果に基づいて設備の制御に関する内容の解析を行う。
【０１９１】
スマートフォンに代表される情報端末３０は、基本的に情報端末３０を所持する利用者個人に紐づけられていると想定される。そのため、情報端末３０を個別に識別することにより、利用者個人を識別することに近い効果が得られる。
【０１９２】
また、利用者の満足または不満足の判断は、設備制御装置４１０により把握できる環境情報が同一であっても、利用者個人の特性（暑がりや寒がり、気流や湿度に過敏や鈍感、等）や状況（外出から戻った直後、力仕事をしている、等）や、計測できていない要素（日射の当たり具合、部屋の隅、空調の気流が直接当たる、等）によっても変動する。
【０１９３】
そこで、上述のように利用者個人を識別することにより、個人の特性や個人の自席の状況等を推定することが可能となる。例えば、湿度が高い、という不満足の回答を比較的頻繁に送信する利用者は、高湿度に対して過敏であるという特性を有していると分析される。
【０１９４】
高湿度に対して過敏な利用者が存在する場合であって、空調装置である設備９０の構成により湿度を下げる制御が可能であれば、湿度を下げる制御を行っても良い。また、同じ室内で絶対湿度に差をつけることは難しいため、温度を少し高めにすることで相対湿度を低くする制御を行ってもよい。その他に、高湿度に対して過敏な利用者に対して湿度の低い部屋へ移動するようアドバイスを行ってもよい。
【０１９５】
解析部４１３により解析処理が行われると、設備制御装置４１０の演算部４１２は解析結果に基づいて、設備９０の制御内容を決定する演算処理を行う（Ｓ４３４）。その後、設備制御装置４１０の制御部１１は、演算部４１２において決定された制御内容を設備９０に出力する処理を行う（Ｓ４３５）。
【０１９６】
次いで、演算部４１２は情報端末３０に送信する文情報である送信情報の内容を作成する演算処理を行う（Ｓ４３６）。その後、設備制御装置１０は、演算部４１２において作成された送信情報を情報端末３０に送信する処理を行う（Ｓ４３７）。
【０１９７】
上記の構成によれば、室内環境に対する満足または不満足の理由にも基づいて設備９０の制御を行うことにより、当該理由に基づかない場合と比較して、以後の設備９０の制御を行いやすくなるとともに快適性の向上を図りやすくなる。
【０１９８】
入力情報および測定情報に基づいて設備９０の制御に関する内容の解析を行うことにより、測定情報に基づかない解析を行う場合と比較して、室内環境の調整が適切に行われやすくなる。
【０１９９】
測定情報から推定される室内環境が正しいか否かを尋ねる出力情報を情報端末３０に出力することにより、測定情報に基づいた適切な設備９０の制御を行うことが可能となる。
【０２００】
識別情報ごとに測定情報および入力情報との関連を評価することにより、利用者ごとに快適と感じる室内環境の範囲（例えば室内温度の範囲）を推定して評価することが可能となる。つまり、利用者が個別に情報端末を携帯している場合、入力情報を取得する際に同時に取得した識別情報に基づいて利用者を特定することが可能となる。
【０２０１】
利用者ごとに入力情報を入力する際の測定情報（例えば室内温度）は所定の範囲内に収まると考えられ、さらに、当該測定情報の値およびその範囲は、利用者ごとに異なっていると考えられる。上述のように履歴記憶部４１４に記憶された測定情報および入力情報の関連を評価することにより、上述の関係、言い換えると利用者ごとに快適と感じる室内環境の範囲を推定することが可能となる。
【０２０２】
なお、上述の実施形態では、Ｓ１１の判定処理において入力情報が入力されたと判定された場合に、室内環境に対する満足または不満足の理由を尋ねる送信情報を送信する例に適用して説明したが、送信情報を送信するタイミングは、Ｓ１１の判定処理において入力情報が入力されたと判定された場合に限定されるものではなく、その他の任意のタイミングに送信してもよい。
【０２０３】
〔第３の実施形態〕
次に、本発明の第３の実施形態に係る設備制御システムついて図１４および図１５を参照しながら説明する。本実施形態の設備制御システムの基本構成は、第１の実施形態と同様であるが、第１の実施形態とは、入力情報による制御の内容が異なっている。よって、本実施形態においては、図１４および図１５を用いて入力情報による制御の内容について説明し、その他の説明を省略する。
【０２０４】
本実施形態における設備制御システム５０１の設備制御装置５１０は、建物に設置された複数の設備９０の制御を行うものである。設備制御装置５１０は、ＣＰＵ（中央演算処理ユニット）、ＲＯＭ、ＲＡＭ、入出力インタフェース等を有するサーバなどの情報処理装置である。上述のＲＯＭ等の記憶装置に記憶されているプログラムは、ＣＰＵ、ＲＯＭ、ＲＡＭ、入出力インタフェースを協働させて、少なくとも制御部１１、演算部５１２、および、解析部１３として機能させるものである。
【０２０５】
演算部５１２は、設備９０の制御内容、および、情報端末３０に送信する文情報である送信情報の内容を求める演算処理を行うものである。また、演算部５１２は、設備９０の制御を許可するか否かを判定する演算処理を行うものでもある。演算部５１２における演算処理の内容については後述する。
【０２０６】
次に、上記の構成からなる設備制御システム５０１における制御の内容について説明する。具体的には設備制御装置５１０による設備９０を制御する方法について説明する。設備制御装置５１０の運用が開始された後の処理の内容は、第１の実施形態の設備制御装置１０における処理の内容（図２参照。）と同様であるため、その説明を省略し、設備制御装置５１０における入力情報による制御の内容について、図１５を参照しながら説明する。
【０２０７】
Ｓ１１の判定処理において入力情報が入力されたと判定された場合（ＹＥＳの場合）には、設備制御装置５１０は、図１５に示す入力情報による制御の処理を開始する。設備制御装置５１０は、検知部５０から情報端末３０の配置位置を示す位置信号を取得する処理を行う（Ｓ５３１）。
【０２０８】
次いで設備制御装置５１０の演算部５１２は、情報端末３０が設備９０の制御を許可する領域（例えば建物内）にいるか否かを判定する処理を行う（Ｓ５３２）。演算部５１２は、検知部５０から出力された位置信号に基づいて情報端末３０の配置位置を推定する処理を行う。推定された情報端末３０の配置位置が、予め定められた設備９０の制御を許可する領域内であるか領域外であるかに基づいて、制御を許可するか許可しないかを判定する処理を行う。
【０２０９】
Ｓ５３２の判定処理において情報端末３０が設備９０の制御を許可する領域にいないと判定された場合（ＮＯの場合）、言い換えると制御を不許可とすると判定された場合には、設備制御装置５１０は、情報端末３０に対して設備９０の制御を許可しないことを知らせる内容の出力情報を送信する（Ｓ５３３）。その後、設備制御装置５１０は、入力情報による制御のサブルーチンの処理を終了する。
【０２１０】
Ｓ５３２の判定処理において情報端末３０が設備９０の制御を許可する領域にあると判定された場合（ＹＥＳの場合）、言い換えると制御を許可とすると判定された場合には、設備制御装置５１０の解析部１３は、入力情報に基づいて空調装置である設備９０の制御内容（制御に関する内容）を解析する演算処理を行う（Ｓ３１）。以下の制御内容は、第１の実施形態と同様であるため、その説明を省略する。
【０２１１】
上記の構成によれば、制御を許可する領域（例えば建物内）に情報端末３０が配置されている場合にのみ設備９０の制御を許可することにより、利用者以外の第三者によって設備９０が不当に制御されることを抑制しやすくなる。
【０２１２】
〔第４の実施形態〕
次に、本発明の第４の実施形態に係る設備制御システムついて図１６および図１７を参照しながら説明する。本実施形態の設備制御システムの基本構成は、第１の実施形態と同様であるが、第１の実施形態とは、入力情報による制御の内容が異なっている。よって、本実施形態においては、図１６および図１７を用いて入力情報による制御の内容について説明し、その他の説明を省略する。
【０２１３】
本実施形態における設備制御システム６０１の設備制御装置６１０は、建物に設置された複数の設備９０の制御を行うものである。設備制御装置６１０は、ＣＰＵ（中央演算処理ユニット）、ＲＯＭ、ＲＡＭ、入出力インタフェース等を有するサーバなどの情報処理装置である。上述のＲＯＭ等の記憶装置に記憶されているプログラムは、ＣＰＵ、ＲＯＭ、ＲＡＭ、入出力インタフェースを協働させて、少なくとも制御部１１、演算部６１２、解析部１３、および、予定記憶部６１４として機能させるものである。
【０２１４】
演算部６１２は、設備９０の制御内容、および、情報端末３０に送信する文情報である送信情報の内容を求める演算処理を行うものである。また、演算部６１２は、設備９０の運用予定に基づいて設備９０の制御内容を決定する演算処理を行うものでもある。演算部６１２における演算処理の内容については後述する。
【０２１５】
予定記憶部６１４は、設備９０の運用予定が記憶されているものである。運用予定としては、設備９０の使用開始から終了までの期間を例示することができる。例えば建物の会議室を使用する予約情報と連動して、会議の開始予定時刻から終了予定時刻までの期間を、設備９０の使用開始から終了までの期間として予定記憶部６１４に記憶する処理が行われてもよい。
【０２１６】
次に、上記の構成からなる設備制御システム６０１における制御の内容について説明する。具体的には設備制御装置６１０による設備９０を制御する方法について説明する。設備制御装置６１０の運用が開始された後の処理の内容は、第１の実施形態の設備制御装置１０における処理の内容（図２参照。）と同様であるため、その説明を省略し、設備制御装置６１０における入力情報による制御の内容について、図１７を参照しながら説明する。
【０２１７】
設備制御装置６１０の解析部１３は、入力情報に基づいて空調装置である設備９０の制御内容（制御に関する内容）を解析する演算処理を行う（Ｓ３１）。解析部１３により解析処理が行われると、設備制御装置６１０の演算部６１２は解析結果に基づいて、設備９０の制御内容を決定する演算処理を行う（Ｓ６３２）。
【０２１８】
具体的には、演算部６１２は、解析部１３による解析結果、および、予定記憶部６１４から設備９０の運用予定を取得する処理を行う。その後、設備９０の制御内容を決定するにあたり、運用予定に基づいて制御内容を決定する処理を行う。以降の処理内容は第１の実施形態と同様であるため、その説明を省略する。
【０２１９】
上記の構成によれば、設備９０の運用予定に基づいて設備９０の制御内容を決定することにより、快適性の向上を図りやすくなる。例えば、運用予定として設備９０の使用期間が記憶されている場合には、使用開始時よりも所定時間だけ前から設備の制御を開始することにより、室内環境が整った状態で使用を開始することが可能となる。
【０２２０】
〔第５の実施形態〕
次に、本発明の第５の実施形態に係る設備制御システムついて図１８を参照しながら説明する。本実施形態の設備制御システムの基本構成は、第１の実施形態と同様であるが、第１の実施形態とは、制御モードに従って設備の制御が行われる点が異なっている。よって、本実施形態においては、図１８を用いて制御モードに関する内容について説明し、その他の説明を省略する。
【０２２１】
本実施形態における設備制御システム７０１の設備制御装置７１０は、建物に設置された複数の設備９０の制御を行うものである。設備制御装置７１０は、ＣＰＵ（中央演算処理ユニット）、ＲＯＭ、ＲＡＭ、入出力インタフェース等を有するサーバなどの情報処理装置である。上述のＲＯＭ等の記憶装置に記憶されているプログラムは、ＣＰＵ、ＲＯＭ、ＲＡＭ、入出力インタフェースを協働させて、少なくとも制御部１１、演算部７１２、および、解析部１３、および、モード記憶部７１４として機能させるものである。
【０２２２】
演算部７１２は、設備９０の制御内容、および、情報端末３０に送信する文情報である送信情報の内容を求める演算処理を行うものである。また、複数の制御モードのうち指定された制御モードに従って、前記設備の制御内容を求める演算処理を行うものでもある。
【０２２３】
モード記憶部７１４は、予め定められた複数の異なる設備９０の制御モードが記憶されたものである。設備９０の制御モードとしては、電力の消費量を抑制する制御が行われるモードや、利用者の快適性を優先する制御が行われるモードなどを例示することができる。
【０２２４】
上記の構成からなる設備制御システム７０１における制御の内容は、制御モードに従って設備の制御が行われる点を除き、第１の実施形態の設備制御装置１０における制御の内容と同様である。
【０２２５】
なお、制御モードの選択は、例えば、設備９０が設けられた建物の管理者により行われる例を挙げることができる。選択された制御モードに応じて設備９０における制御において適用可能な設定値の範囲が変更される。
【０２２６】
上記の構成によれば、設備９０の制御の方向性（不満足な利用者の割合を所定割合未満にする、設備９０の消費電力を抑制する、利用者の室内環境に対する満足度を高くする、作業やプレゼンや会議などの利用者の活動状況に適した室内環境とする）を示す制御モードに従って、設備９０の制御内容を決定することにより、用途にあった設備９０の制御が容易となる。
【０２２７】
なお、本発明の技術範囲は上記実施形態に限定されるものではなく、本発明の趣旨を逸脱しない範囲において種々の変更を加えることが可能である。例えば、本発明を上記の実施形態に適用したものに限られることなく、これらの実施形態を適宜組み合わせた実施形態に適用してもよく、特に限定するものではない。
【符号の説明】
【０２２８】
１，１０１，２０１，３０１，４０１，５０１，６０１，７０１…設備制御システム、１０，１１０，２１０，３１０，４１０，５１０，６１０，７１０…設備制御装置、１１…制御部、１２，１１２，２１２，３１２，４１２，５１２，６１２，７１２…演算部、１３…解析部、３０…情報端末、５０…検知部、７０…センサ、９０…設備、４１４…履歴記憶部、４１５…評価部、６１４…予定記憶部、７１４…モード記憶部
【図１】
2020003137.tif 000003
【図２】
2020003137.tif 000004
【図３】
2020003137.tif 000005
【図４】
2020003137.tif 000006
【図５】
2020003137.tif 000007
【図６】
2020003137.tif 000008
【図７】
2020003137.tif 000009
【図８】
2020003137.tif 000010
【図９】
2020003137.tif 000011
【図１０】
2020003137.tif 000012
【図１１】
2020003137.tif 000013
【図１２】
2020003137.tif 000014
【図１３】
2020003137.tif 000015
【図１４】
2020003137.tif 000016
【図１５】
2020003137.tif 000017
【図１６】
2020003137.tif 000018
【図１７】
2020003137.tif 000019
【図１８】
2020003137.tif 000020